(57)【要約】　　　（修正有）【課題】食器用水きりカゴの側外面にコップ立てを兼備し、食器用水きりカゴに食器を入れたとき、カゴの底面下部に設けた受皿に水の溜り並びに小さな食器の落下がなく、着脱可能な皿立てと箸立てを備えた食器用水きりカゴを提供する。【解決手段】四側面と底面を有し上部が開口した四角箱状のステンレス製の食器用水きりカゴで、カゴ側面を形成する一部縦軸の上端を輪状に丸めて食器用水きりカゴの上辺から離れるようにし、この縦軸がコップ立てを兼備、カゴ底面を複数の孔が貫穿した一枚のステンレス板で作り、また、波形のステンレス棒をカゴ底面の孔に装着して、着脱可能な皿立てとし、底面が複数の孔で貫穿された円形のステンレス板に渦巻き状のステンレス棒を接着し、その上辺にフックを付け着脱可能な箸立てとし、一枚の長方形ステンレス板を受皿になるよう三側面を立上げ、残り一面の一部分は立上げず、受皿の水が流れ出るようにしたことを特徴とする。【選択図】図１
2004008728.tif 000002
【特許請求の範囲】
【請求項１】
四つの側面と底面を有し上部が開口した四角箱状のステンレス製カゴであって、三側面の側面を構成するステンレスの縦軸の一部を、軸の上端を輪状に折り曲げる事によりコップ立てとし、コップ立てを兼ね備えることを特徴とする受け皿を組み合わせた食器用水きりカゴ。
【請求項２】
ステンレス製カゴの底面を一枚のステンレス板で作り、その底面に複数の孔が貫穿されていることを特徴とする請求項１に記載の食器用水きりカゴ。
【請求項３】
細いステンレスの棒を波形に加工して皿立てとし、請求項２記載のステンレス製カゴの底面に貫穿された孔に、皿立ての底辺の裏面にもうけた脚を突き刺すことにより着脱可能にし、ステンレス製カゴの底面にこの皿立てを装着して使用することを特徴とする請求項１から２まで記載の食器用水きりカゴ。
【請求項４】
細いステンレスの棒を渦巻き状に加工し下辺の底面に複数の孔を貫穿したステンレスの円形の板を接着し、上辺の縁にステンレス製のフックをもうけ着脱可能な箸立てとし、ステンレス製カゴの上辺の縁にこの箸立てをぶら下げて使用することを特徴とする請求項１から３まで記載の食器用水きりカゴ。
【請求項５】
一枚の長方形のステンレスの板を受け皿になるよう側面を三面立ちあげて受け皿状にし残りの側面の一部分は立ちあげず、立ちあげてない面の反対側の面とステンレス板の底面の交わる裏側に短い脚を合計２本もうけ、ステンレス製カゴをこの受け皿に乗せて組み合わせて使うことを特徴とする請求項１から４まで記載の食器用水きりカゴ。
【発明の詳細な説明】
【０００１】
【発明の属する技術分野】本発明は、一般家庭で使用される食器用水きりカゴに関するものである。
【０００２】
【従来の技術】従来、食器を洗浄したあと貯蔵する容器として受け皿と組み合わせた四角箱状の金属製網カゴまたはプラスチック製カゴが広く用いられている。しかし、コップも瀬戸物も大きい物も小さい物も同じ食器用水きりカゴに入れていると、コップは割れやすく、小さい物たとえば箸置きは下の受け皿に落ちてしまう事があった。また、網状またはプラスチックの食器用水きりカゴは、カゴ自体を洗浄するとき網目の部分があまりきれいに洗えなかった。
【０００３】洗浄後の箸やスプーンを備え付けの箸たてに入れたとき、箸立ての底面が使っているうちに汚れがつき、箸立てを洗浄するのに手が入りずらく箸立ての底面が四角形だと隅があまりきれいに洗えなかった。
【０００４】洗浄後の食器を食器用水きりカゴに入れたとき、受け皿に水が溜まり頻繁に受け皿の水を捨てたり受け皿を洗浄しなければならなかった。
【０００５】
【発明が解決しようとする課題】本発明の目的は、食器用水きりカゴの側面の外側にコップをかけることができることによりコップ立てを兼ね備え、食器用水きりカゴに食器を入れたとき、食器用水きりカゴの底面から小さな食器が下の受け皿に落ちることなく、そして受け皿に水が溜まることがなく、着脱可能な皿立てと箸立てを備えることにより、清潔で使い易い食器用水きりカゴを提供することにある。
【０００６】
【課題を解決するための手段】上記目的を達成するために、四つの側面と底面を有し上部が開口した四角箱状のステンレス製カゴを食器用水きりカゴにし、この食器用水きりカゴの側面を形成する縦軸の一部を上端を輪状に丸めて外側に少し突き出して水きりカゴの上辺の縁から離れるようにし、この縦軸にコップを差し込むことによりコップ立てとし、コップ立てを兼ね備える食器用水きりカゴを提供する。
【０００７】食器用水きりカゴの底面を網状ではなく一枚のステンレス板で形成し、その表面を複数の孔で貫穿し、細いステンレスの棒を波形に加工して皿立てとし、その皿立ての底辺の裏に、食器用水きりカゴの底面であるステンレス板の孔に丁度入る脚をもうけ、孔にその脚を差し込むことによって固定することのできる着脱可能な皿立てを有し、皿立てをはずすことにより清潔で使い易い食器用水きりカゴを提供する。
【０００８】細いステンレスの棒を渦巻き状に加工し、下辺の底面に複数の孔を貫穿したステンレスの円形の板を接着し、上辺の縁にはステンレス製のフックをもうけて箸立てとし、着脱可能な箸立てを備えた食器用水きりカゴを提供する。
【０００９】食器用水きりカゴに洗浄後の食器を入れた時、流れ出る水を受ける受け皿の側面の四面のうち一面の一部分を立ち上げず、水が流れ出るように平らに作り、その立ち上げてない面の反対側の面に近いところの受け皿の裏面に高さ１．５ｃｍほどの足を各隅に１つずつ合計２つもうける。これにより、受け皿に緩やかな勾配ができ、食器の水きり後の水が受け皿の側面の立ち上げてない部分から流れ出るようにした。この受け皿の側面の立ち上げてない部分を台所シンクの端にのせる事によって、水きり後の水を台所シンクに流れ込むようにした。このような受け皿を組み合わせた食器用水きりカゴを提供する。
【００１０】
【発明の実施の形態】以下に本発明の実施形態を、図面を参照しながら説明する。図１によると、本発明の食器用水きりカゴは対向する辺として１と２、および３と４、並びに底面５を有している。食器用水きりカゴの側面には、側面を構成するステンレスの縦軸の上端を輪状に折り曲げたもの８を外側に少し突き出して食器用水きりカゴの上辺２、３、４の縁から少し離しこれにコップをさかさまに立てておくことができ、これによりコップ立ても兼ね備え乾燥が容易になると同時に他の食器と重ならず割れることも少なくなる。
【００１１】食器用水きりカゴの底面５は一枚のステンレス板でできており複数の孔７が貫穿され、この孔７に図１の皿立ての脚１９、２０、２１、２２を差し込むことによって食器用水きりカゴの底面５に装着可能にし、また取り外したとき底面５を清潔に洗いやすくした。
【００１２】図１の箸立てはステンレスの棒を渦巻き状に成型し、底辺にステンレスの円形の板２４を接着した。この２４には複数の孔が貫穿されており、洗浄後の箸やスプーンなど入れても水が溜まらず、フック２５を食器用水きりカゴの辺１からはずせば、ステンレス棒の隙間から底面２４も洗うことが容易で清潔に保つ事ができる。また、箸立て自身のデザイン性もよくなる。
【００１３】図１の受け皿は対向する面１０と１１、及び１２と１３、並びに底面１４、そして１１と１２の交差するところの底面１４の裏に脚１５、１１と１３の交差するところの底面１４の裏に脚１６を有する。１５と１６の脚によって底面１４は接地面と接することなく緩やかな勾配ができる。それにより、側面１０の立ち上げてない部分９から洗浄後の水きりされた水が流れ出るようになる。例えば台所のシンクの端に受け皿の側面１０の立ち上げてない部分９を沿わせて置くと、受け皿に水が溜まらず清潔に保つことができる。
【００１４】
【発明の効果】本発明は以上のような構造で、これを台所で使用するときは、コップも食器も箸やスプーンもこの食器用水きりカゴ一つで収納、乾燥することができる。そして、ステンレスで作られているので熱湯や酸性のものその他の衝撃にも強く、耐久性もあり、いつまでも清潔に保つことができる。
【図面の簡単な説明】
【図１】本発明に係る食器用水きりカゴの分解斜視図である。
【図２】図１で示した食器用水きりカゴの分解縦断断面図である。
【符号の説明】
１　　　上辺
２　　　上辺
３　　　上辺
４　　　上辺
５　　　底面
６　　　縦軸
７　　　孔
８　　　コップ立て
９　　　受け皿の側面の立ち上げてない部分
１０　　受け皿の側面
１１　　受け皿の側面
１２　　受け皿の側面
１３　　受け皿の側面
１４　　受け皿の底面
１５　　受け皿の脚
１６　　受け皿の脚
１７　　皿立ての下辺
１８　　皿立ての下辺
１９　　皿立ての脚
２０　　皿立ての脚
２１　　皿立ての脚
２２　　皿立ての脚
２３　　箸立ての上辺
２４　　箸立ての底面
２５　　箸立てのフック
【図１】
2004008728.tif 000003
【図２】
2004008728.tif 000004